(57)【要約】【課題】  画像処理装置で提供される機能によっては、スキャンして得られた画像データを含むファイルの保存先として「マイフォルダ」が選択された場合には、保存処理が必ず失敗してしまい、ユーザの利便性の向上に寄与しないといった課題が発生してしまう。【解決手段】  本発明の画像処理装置は、ユーザが選択した機能がマイフォルダ情報に含まれるプロトコルを利用可能と判断された場合には、ファイルの保存先を選択する画面において、マイフォルダを選択できるような表示を行い、ユーザが選択した機能がマイフォルダ情報に含まれるプロトコルを利用できないと判断された場合には、ファイルの保存先を選択する画面において、マイフォルダを選択できないような表示を行うことを特徴とする。【選択図】  図８
2020120192.tif 000002
【特許請求の範囲】
【請求項１】
画像処理装置のユーザのユーザ情報に紐付けて、パスの情報と、プロトコルの種別とを含むフォルダ情報を管理する記憶装置を備え、スキャンして得られた画像データを扱う複数の機能を提供する画像処理装置であって、
認証されたユーザのユーザ情報に紐づくフォルダ情報を取得する取得手段と、
前記複数の機能から選択された機能が、前記取得されたフォルダ情報に含まれるプロトコルを、利用可能か否かを判断する判断手段と、を有し、
前記選択された機能が前記取得されたフォルダ情報に含まれるプロトコルを利用可能と判断された場合には、前記選択された機能により前記画像データをファイルとして保存するための保存先を選択する画面において、前記取得されたフォルダ情報に対応するフォルダを選択できるような表示が行われ、
前記選択された機能が前記取得されたフォルダ情報に含まれるプロトコルを利用できないと判断された場合には、前記保存先を選択する画面において、前記取得されたフォルダ情報に対応するフォルダを選択できないような表示が行われることを特徴とする画像処理装置。
【請求項２】
前記記憶装置には、前記保存先の候補として、ユーザ情報に紐づかずに登録されたファイルサーバの共有フォルダの情報が登録されており、
前記選択された機能が前記取得されたフォルダ情報に含まれるプロトコルを利用可能と判断された場合には、前記保存先を選択する画面において、前記取得されたフォルダ情報及び前記共有フォルダの情報に対応する複数のフォルダから保存先を選択できるような表示が行われ、
前記選択された機能が前記取得されたフォルダ情報に含まれるプロトコルを利用可能と判断された場合には、前記保存先を選択する画面において、前記共有フォルダの情報に対応するフォルダから保存先を選択できるような表示が行われることを特徴とする請求項１に記載の画像処理装置。
【請求項３】
ユーザの認証が行われていない場合には、前記保存先を選択する画面において、ユーザ情報に紐づくフォルダ情報に対応するフォルダが表示されないことを特徴とする請求項１または２に記載の画像処理装置。
【請求項４】
ユーザ情報に紐づけてフォルダ情報を前記記憶装置に登録する際に、該フォルダ情報として所定のプロトコルが設定された場合には、前記画像処理装置が提供する複数の機能のいずれかで、該フォルダ情報が利用できないことが表示されることを特徴とする請求項１乃至３のいずれか１項に記載の画像処理装置。
【請求項５】
前記所定のプロトコルは、ＦＴＰ（Ｆｉｌｅ  Ｔｒａｎｓｆｅｒ  Ｐｒｏｔｏｃｏｌ）であることを特徴とする請求項４に記載の画像処理装置。
【請求項６】
画像処理装置のユーザのユーザ情報に紐付けて、パスの情報と、プロトコルの種別とを含むフォルダ情報を管理する記憶装置を備え、スキャンして得られた画像データを扱う複数の機能を提供する画像処理装置における方法であって、
認証されたユーザのユーザ情報に紐づくフォルダ情報を取得する取得工程と、
前記複数の機能から選択された機能が、前記取得されたフォルダ情報に含まれるプロトコルを、利用可能か否かを判断する判断工程と、を有し、
前記選択された機能が前記取得されたフォルダ情報に含まれるプロトコルを利用可能と判断された場合には、前記選択された機能により前記画像データをファイルとして保存するための保存先を選択する画面において、前記取得されたフォルダ情報に対応するフォルダを選択できるような表示が行われ、
前記選択された機能が前記取得されたフォルダ情報に含まれるプロトコルを利用できないと判断された場合には、前記保存先を選択する画面において、前記取得されたフォルダ情報に対応するフォルダを選択できないような表示が行われることを特徴とする方法。
【発明の詳細な説明】
【技術分野】
【０００１】
本発明は、画像処理装置において原稿を読み取った読み取り画像データをユーザが指定した共有サーバのフォルダに対して送信および保存する技術に関するものである。
【背景技術】
【０００２】
近年、コピー機能のみならず、プリント機能、ファクス機能、ネットワークスキャン機能、送信宛先情報を管理するアドレス帳など、複数の機能を実行することが出来る複合機などの画像処理装置が広く利用されている。通常、これら複合機は、タッチスクリーン機能を持つ操作パネルとハードキーを有する操作部を備えており、ユーザは、操作パネル上に表示された機能一覧から所望の機能を呼び出し、機器を操作する。また、ユーザが機器を利用する際、ユーザ認証を要求することも行われている。この場合、ユーザはタッチパネルまたはカード等を利用して認証を行い、認証が成功すると、機器を使用可能となる。
【０００３】
特許文献１では、このユーザ認証を用いた操作性、セキュリティ向上を図るため、認証されたユーザのためのファイル送信の宛先の指定として、「自分へファイル送信」ボタンが画像処理装置で用意されている。このボタンが指定された場合には、指定ユーザのためにあらかじめ登録されたフォルダパスに基づき決定される「マイフォルダ」にファイルが送信、保存されることになる。つまり、「マイフォルダ」を利用するためには、あらかじめフォルダパス情報と、利用する通信プロトコルといった情報を、ユーザ情報に紐付けてあらかじめ設定、登録しておく必要がある。特許文献１では、「自分へファイル送信」ボタンによる「マイフォルダ」への送信、保存で利用される通信プロトコルとして、ＳＭＢ（Ｓｅｒｖｅｒ  Ｍｅｓｓａｇｅ  Ｂｌｏｃｋ）やＦＴＰ（Ｆｉｌｅ  Ｔｒａｎｓｆｅｒ  Ｐｒｏｔｏｃｏｌ）が開示されている。
【先行技術文献】
【特許文献】
【０００４】
【特許文献１】特開２０１３−１７９４３６号公報
【発明の概要】
【発明が解決しようとする課題】
【０００５】
ここで、画像処理装置では、スキャンした画像データを、Ｅメールアドレスやファイル共有先などの１以上の宛先に送信する「スキャンして送信」や、自装置内外に存在する共有サーバ内のフォルダを指定して保存する「スキャンして保存」といった機能（または、アプリケーション）が実行可能である。
【０００６】
ユーザの利便性を考慮すると、「自分へファイル送信」機能だけでなく、これら機能を利用した場合の送信先の指定でも前述した「マイフォルダ」を選択できるようにすることが望ましい。
【０００７】
しかしながら、「スキャンして送信」、「スキャンして保存」などといった機能は、ファイルを送信、保存する際に利用できる通信プロトコルの種別に制限がある場合がある。つまり、「マイフォルダ」の設定としての通信プロトコルが、画像処理装置がサポートするいずれかの機能によっては制限されている可能性がある。そういった場合には、送信先として「マイフォルダ」が選択された場合には、ファイルの送信、保存といった処理が必ず失敗してしまい、ユーザの利便性の向上に寄与しないといった課題が発生してしまう。
【０００８】
そこで、本発明は、上述した課題の発生を抑制しつつ、スキャンした画像データを保存する際に、ユーザのためにあらかじめ登録されたフォルダパスに基づき決定される保存先を適切に選択することが可能となる仕組みを提供することを目的とする。
【課題を解決するための手段】
【０００９】
本発明における画像処理装置は、ユーザのユーザ情報に紐付けて、パスの情報と、プロトコルの種別とを含むフォルダ情報を管理する記憶装置を備え、スキャンして得られた画像データを扱う複数の機能を提供する画像処理装置であって、認証されたユーザのユーザ情報に紐づくフォルダ情報を取得する取得手段と、前記複数の機能から選択された機能が、前記取得されたフォルダ情報に含まれるプロトコルを、利用可能か否かを判断する判断手段と、を有し、前記選択された機能が前記取得されたフォルダ情報に含まれるプロトコルを利用可能と判断された場合には、前記選択された機能により前記画像データをファイルとして保存するための保存先を選択する画面において、前記取得されたフォルダ情報に対応するフォルダを選択できるような表示が行われ、前記選択された機能が前記取得されたフォルダ情報に含まれるプロトコルを利用できないと判断された場合には、前記保存先を選択する画面において、前記取得されたフォルダ情報に対応するフォルダを選択できないような表示が行われることを特徴とする。
【発明の効果】
【００１０】
本発明によれば、スキャンした画像データを保存する際に、ユーザのためにあらかじめ登録されたフォルダパスに基づき決定される保存先を適切に選択することが可能となる仕組みを提供することを目的とする。
【図面の簡単な説明】
【００１１】
【図１】画像処理装置のハードウェア構成の一例を示すブロック図である。
【図２】画像処理装置のソフトウェアのモジュール構成を示すブロック図である。
【図３】画像処理装置を含むシステム構成の例を示す図である。
【図４】操作部１０５に表示される、ホーム画面の例である。
【図５】操作部１０５に表示される、「スキャンして送信」機能および「スキャンして保存」機能の操作画面の例である。
【図６】マイフォルダ情報管理部が管理する情報の例である。
【図７】ユーザが画像処理装置にマイフォルダの情報を登録する処理を説明するためのフローチャートである。
【図８】ユーザがマイフォルダを利用する際の処理を説明するためのフローチャートである。
【図９】マイフォルダの利用が制限された場合の「スキャンして保存」機能の操作画面の例である。
【図１０】マイフォルダ登録画面の例である。
【発明を実施するための形態】
【００１２】
以下、本発明を実施するための最良の形態について図面を用いて説明する。
【００１３】
図１は、本発明における画像処理装置の概略構成を示すブロック図である。
【００１４】
画像処理装置は、電子写真方式等の方式で記録紙上に画像を形成する画像形成部１０１、画像処理装置を統御する制御部１０２を備えている。また、ステイプル処理等の後処理を行うフィニッシャ１０３、原稿画像を読取り、画像データを生成するスキャナ部１０４を備える。さらに、各種のデータやコマンドを入力する機構や、操作を受け付けたり各種表示を行ったりするための機構（表示部）を含む操作部１０５を備えている。また、ネットワークを介してデータの送受信を行うネットワークインターフェース（Ｉ／Ｆ）１０６および、ファクスデータを送受信するファクシミリＩ／Ｆ１０７、機器を使用するユーザ認証を行うカードリーダ１１０も備えている。記憶装置１１１は、ハードディスクなどで構成される外部記憶装置であり、複合機内で実行される各種プログラムや、処理の制御などのための設定値、ユーザー情報、表示用のコンテンツなどが格納される。「スキャンして送信」や「スキャンして保存」といった機能を実現するためのアプリケーションプログラムも、記憶装置１１１に格納される。
【００１５】
そして、１０１、１０３〜１０７、１１０、１１１は、それぞれ専用インターフェースで制御部１０２に接続されている。
【００１６】
制御部１０２には、少なくとも中央処理装置（ＣＰＵ）１０８とメモリ１０９が含まれる。メモリ１０９は、後述するフローチャートに対応する処理や表示部への表示制御を行うためのプログラムを実行するためのワークメモリとして利用される。
【００１７】
図２は、画像処理装置におけるソフトウェアのモジュール構成を示すブロック図である。これらの構成は、ＣＰＵ１０８が１以上のプログラムを実行することで実現される機能を表すものである。
【００１８】
ＵＩ制御部２０１は、操作部１０５に操作画面を表示し、ユーザの操作を受け付けるユーザインターフェース（ＵＩ）を制御する。スキャン制御部２０２は、スキャナ部１０４を制御し、原稿画像を読み取る処理を制御する。
【００１９】
送信制御部２０３は、「スキャンして送信」機能や「スキャンして保存」機能において、スキャン制御部２０２が読み取った画像データを、ネットワークＩ／Ｆ１０６などを用いてユーザが指定した宛先にファイルとして送信、保存する処理を制御する。
【００２０】
なお、「スキャンして送信」機能では、ファイル共有のためのプロトコルとしてＳＭＢ、ＷｅｂＤＡＶ（Ｗｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇ）、ＦＴＰなどから選択することが可能である。また、「スキャンして保存」機能では、ＳＭＢ、ＷｅｂＤＡＶのいずれかを選択可能で、ＦＴＰは選択できない。
【００２１】
ファクス制御部２０４は、「ファクス」機能において、ファクシミリＩ／Ｆ１０７を用いて、ファクスの送受信を制御する。ジョブ管理部２０５は、ＵＩ制御部２０１が受け付けたユーザの送信要求および、その実行状態を管理する。画像管理部２０６は、スキャナ部１０４で読み取った画像の管理情報を管理する。認証情報管理部２０８は、ユーザ認証処理を司り、また、認証と紐づいてユーザ毎に設定されている情報を管理する。
【００２２】
マイフォルダ情報管理部２０７は、画像処理装置を利用するユーザごとの「マイフォルダ」の情報を管理する。具体的には、マイフォルダ情報管理部２０７は、認証に利用されるユーザ情報に紐付けて、マイフォルダの情報を記憶装置１１１で管理する。「スキャンして送信」機能は、送信先の指定として「マイフォルダ」を選択することができる。一方で、「スキャンして保存」機能は、所定の条件下においては、送信先の指定として「マイフォルダ」を選択することができる。
【００２３】
アプリケーション制御部２０９は、画像処理装置に登録されているアプリケーション一覧の登録管理と、起動や終了の制御を行う。アプリケーションとは、例えば図４で例を示すコピー、スキャンして送信、ファクス、スキャンして保存、保存ファイルの利用などである。
【００２４】
図３は、画像処理装置を含むシステム構成の例を示す図である。
【００２５】
３０１は画像処理装置である。ファイル共有サーバ３０２は原稿をスキャンした画像データの送信先となり得るファイルサーバである。ファイル共有サーバ３０２は、表示部３０３及び入力装置３０４が接続されている。３０５は、画像処理装置３０１およびサーバ３０２を使用する際、ユーザ認証を司る認証サーバである。これらは、ネットワークを介して接続されている。画像処理装置は、認証サーバ３０５が備えるユーザ認証のための機能を備えることも可能である。また、ファイル共有サーバは、ネットワーク上に１以上存在してもよく、画像処理装置の内部に実現することも可能である。
【００２６】
図４は、操作部１０５で表示される、ホーム画面の例である。ユーザがホーム画面を操作することで、所望の機能を呼び出して実行指示することができる。ホーム画面には、呼び出す機能を選択するためのボタンが配置された選択画面４０１が表示されている。この例では、「コピー」機能、「スキャンして送信」機能、「ファクス」機能、「スキャンして保存」機能、「保存ファイルの利用」機能のそれぞれを呼び出すためのボタン４０６〜４１０が配置されている。また、テンキー４０２、ジョブ開始を指示するスタートキー４０３が配置されている。更に、機器の設定画面を呼び出す「設定・登録」画面呼び出しボタン４０４や、ジョブの履歴・状況画面を呼び出す「履歴・状況」ボタン４０５も配置されている。
【００２７】
図５（ａ）は、ユーザが「スキャンして送信」ボタン４０７を押下することで、操作部１０５に表示される、スキャン送信の操作画面の例である。この図では、送信宛先を指定するためのボタンが配置された領域５０１が表示されている。宛先入力は、「アドレス帳」「ワンタッチ」「新規宛先」いずれの方法でも可能である。たとえば、ユーザがアドレス帳呼び出しボタン５０４を操作すると、アドレス帳画面が表示され、アドレス帳から任意の宛先を指定できる。これらの宛先指定では、ＳＭＢ，ＦＴＰ，ＷｅｂＤＡＶなどのファイル共有のためのプロトコルを送信方法として、さらに指定できる。また、ファイル共有以外にも、ＳＭＴＰ（電子メール）およびファクス送信などの送信方法の指定も可能である。
【００２８】
５０２は、読み取り解像度、読み取りカラーモード等の、スキャンして生成された画像データに対する各種設定を行うボタンが配置された領域である。５０３は、スキャンによる原稿の読み取り、送信のためのさまざまな詳細設定を呼び出す応用機能ボタンである。
【００２９】
５０５は、画像処理装置を利用するためのユーザ認証が有効な環境で表示され、認証されたユーザのユーザ情報に紐づけられた特定の宛先（「マイフォルダ」）を送信先として指定するためのマイフォルダへ送信ボタンである。マイフォルダへ送信ボタン５０５が選択された場合には、あらかじめ認証されログイン中のユーザのユーザ情報に紐付けて登録されたフォルダのパス情報と送信方法（プロトコル）とを用いたファイル送信が行われることになる。５０６は、ユーザ認証が実施されている場合に表示されるボタンであり、ユーザが作業を終了した後にログアウトする際に押下するボタンである。
【００３０】
図５（ｂ）は、ユーザが「スキャンして保存」ボタン４０９を押下することで、操作部１０５に表示される操作画面の例である。この図では、保存先の候補としてあらかじめ登録された外部のファイル共有サーバ３０２の共有フォルダなどの一覧を示すリスト５０７が表示されている。
【００３１】
本発明における画像処理装置では、リスト５０７に、ユーザ認証が有効な環境においては、認証されログイン中のユーザのユーザ情報に紐づけられた特定の宛先に対応する「マイフォルダ」５０８を含めて表示する。マイフォルダ５０８は、所定の条件下で選択できるように制御することになるが、この制御については後述する。
【００３２】
また、リスト５０７には、前述したように、マイフォルダ５０８以外に、１以上の登録済みのファイルサーバ上の共有フォルダ５０９の情報も含まれている。なお、保存先の候補としては、ネットワーク上の共有フォルダの他に、記憶装置１１１内で確保されているフォルダやＵＳＢポートに接続されたメモリメディア内のフォルダを登録し、表示することも可能である。共有フォルダ５０９の情報は、マイフォルダ５０８とは異なり、ユーザ情報に紐づかず登録されており、画像処理装置を利用する複数のユーザに共有される。
【００３３】
前述したように「スキャンして保存」機能では、スキャンして得られた画像データを含むファイルの送信、保存のための通信プロトコルとして、ＳＭＢ、ＷｅｂＤＡＶのいずれかを選択可能で、ＦＴＰは選択できない。よって、共有フォルダ５０９としては、ＳＭＢやＷｅｂＤＡＶのプロトコルで接続可能なファイル共有サーバの共有フォルダが登録されることになる。
【００３４】
ユーザがマイフォルダ５０８や共有フォルダ５０９のいずれかを選択すると、選択されたフォルダに含まれるファイルやフォルダの一覧（不図示）が表示される。この画面が表示された際に、スキャン実行することで、選択されたフォルダにスキャンされたデータがファイルとして格納される。
【００３５】
上へボタン５１０は、現在表示されているフォルダから上位のフォルダに遷移する際に押下するボタンである。ストレージ情報確認ボタン５１１は、現在選択されているファイル共有サーバの情報を表示する際に押下するボタンであり、これを押下することでファイル共有サーバの名称、アドレス情報、接続プロトコル、空き容量などの情報を表示するストレージ情報確認画面が表示される。５０６は、図５（ａ）で説明したとおりである。
【００３６】
なお、図４で示す「スキャンファイルの利用」ボタン４１０を操作することで、「スキャンして保存」機能で保存されたファイルを選択して印刷することも可能である。
【００３７】
図６（ａ）は、マイフォルダ情報管理部２０７が管理するマイフォルダ情報の１レコードの例である。マイフォルダ情報の各レコードには、このマイフォルダ情報を一意に特定する為のＩＤ、ログインユーザを一意に特定するためのユーザ情報であるユーザＩＤが含まれる。
【００３８】
マイフォルダ情報には、さらに、フォルダの表示名称、ファイル共有サーバと通信する際に用いる通信プロトコルの種別、ファイル共有サーバのアドレス、フォルダのパス情報、ファイル共有サーバに接続するための認証ユーザ名、認証パスワード、などが含まれる。ここで、マイフォルダ情報として設定できる通信プロトコルとしては、ＳＭＢや、ＦＴＰ、ＷｅｂＤＡＶなどが含まれる。そのほかにも、ＣＩＦＳ（Ｃｏｍｍｏｎ  Ｉｎｔｅｒｎｅｔ  Ｆｉｌｅ  Ｓｙｓｔｅｍ）といったプロトコルが含まれる場合がある。
【００３９】
図６（ｂ）は、マイフォルダ情報管理部２０７が管理する制限プロトコル情報の１レコードの例である。マイフォルダ機能を利用する機能（アプリケーション）ごとに、使用可能なファイル共有プロトコルに制限がある場合に登録される。制限プロトコル情報には、機能（アプリケーション）を一意に特定するためのＩＤ、機能（アプリケーション）の表示名称、制限をかけるプロトコル種別、などが含まれる。この例は、「スキャンして保存」機能では、「ＦＴＰ」が利用できないことを示している。
【００４０】
次に、図７のフローチャートを用いて、マイフォルダの情報を登録する処理について説明する。
【００４１】
本処理は、認証情報管理部２０８によるユーザが入力した認証情報を用いたユーザ認証に成功したあとに、マイフォルダ情報の登録操作を行ったことによって開始される。ユーザによる認証情報の入力は、カードリーダ１１０にユーザ認証用のカードをかざす、または操作部１０５に表示されるユーザ認証画面でユーザ名、パスワードを入力することで実現される。
【００４２】
Ｓ１００１では、ＵＩ制御部２０１が、ホーム画面の設定・登録ボタン４０４が選択され、さらにマイフォルダ情報の登録のための操作が行われたことに応じた、マイフォルダ情報の登録要求を受け付ける。
【００４３】
図１０は、マイフォルダ情報の登録要求に応じて表示されるマイフォルダ情報の登録を行うための登録画面の例である。マイフォルダ登録画面では、ホストアドレス、フォルダパス、認証ユーザ名、認証ユーザパスワードを入力するための入力欄が配置されている。さらに、プロトコル選択プルダウン１３０１にて、ファイル共有などに利用されるプロトコルが設定可能である。図１０の例では、ホストアドレスには“ＦＴＰＨｏｓｔ．Ｓｅｒｖｅｒ１．ｃｏｍ”、フォルダパスには“Ｆｏｌｄｅｒ１”、認証ユーザ名には“Ｕｓｅｒ１”、認証ユーザパスワードには“Ｕｓｅｒ１Ｐａｓｓ”が入力されている。また、プロトコルとして“ＦＴＰ”が選択されている。１３０２は、メッセージ表示領域で、この登録画面で野入力に対応した設定に関するメッセージが表示される。メッセージ表示は、この例の他にダイアログ・ボックスにて表示しても構わない。
【００４４】
Ｓ１００２で、ＵＩ制御部２０１は、ユーザがマイフォルダ登録画面で入力したマイフォルダ情報を受け付ける。
【００４５】
Ｓ１００３で、ＵＩ制御部２０１は、マイフォルダ情報管理部２０７で管理されている制限プロトコル情報を参照し、Ｓ１００２で受け付けたマイフォルダ情報に含まれるプロトコルの種別を制限する機能（アプリケーション）が存在するか否かを判断する。該当する機能が存在する場合にはＳ１００４へと進み、存在しない場合にはＳ１００５へと進む。
【００４６】
Ｓ１００４で、ＵＩ制御部２０１は、図１０で示すマイフォルダ登録画面において、選択されたプロトコルを利用できない機能が存在することを注意喚起するためのメッセージを表示する。例えば、図１０では、ＦＴＰが選択されたため、メッセージ表示領域１３０２に、「ＦＴＰは、  スキャンして保存  では利用できません」と表示している。なお、このメッセージが表示された場合であっても、マイフォルダ登録画面でＯＫボタンを選択することで、マイフォルダの情報の登録が可能である。
【００４７】
Ｓ１００５で、ＵＩ制御部２０１は、マイフォルダ登録画面でのＯＫボタンの選択に応じて、Ｓ１００２で受け付けたマイフォルダ情報をマイフォルダ情報管理部２０７に渡す。マイフォルダ情報管理部２０７は、ログイン中のユーザのユーザ情報に紐付けて、渡されたマイフォルダ情報を図６（ａ）で示すような形式で、記憶装置１１１に保存する。
【００４８】
次に、図８のフローチャートを用いて、マイフォルダの情報を利用する際の処理について説明する。本処理は、ＵＩ制御部２０１が、ユーザからの操作部１０５に表示されたホーム画面上の機能（アプリケーション）の選択を受け付けることから開始される。ここでは、「スキャンして保存」ボタン４０９が選択されたこと場合の例を具体的に説明する。ＵＩ制御部２０１は、アプリケーション制御部２０９に対して、「スキャンして保存」機能を実現するアプリケーションの起動を指示する。この場合、本フローチャートにおける処理は、ここで起動された「スキャンして保存」アプリケーションがＣＰＵ１０８により実行されることで実現される処理である。以降の説明では、各処理の主体として単に“アプリケーション”と記載する。
【００４９】
Ｓ１１０２で、アプリケーションが、現在、ユーザ認証が成功した、ユーザがログインしているかどうかを判断する。認証済みであればＳ１１０３に進み、認証済みでなければＳ１１０８に進む。
【００５０】
Ｓ１１０３で、アプリケーションが、マイフォルダ情報管理部２０７に対して、ログインユーザのユーザ情報に紐づくマイフォルダ情報の取得要求を行う。取得要求に応じてマイフォルダ情報管理部２０７は、ログインユーザのユーザＩＤをキーにして図６（ａ）で例示したようなマイフォルダ情報を検索する。
【００５１】
Ｓ１１０４で、アプリケーションが、取得要求の結果、マイフォルダ情報管理部２０７からログインユーザのユーザ情報に紐づくマイフォルダ情報の取得に成功したか否かを判断する。取得に成功した場合にはＳ１１０５へと進み、取得に失敗した場合にはＳ１１０７へと進む。
【００５２】
Ｓ１１０５で、アプリケーションが、マイフォルダ情報として設定されているプロトコルが利用可能であるかどうかを、図６（ｂ）を参照して判断する。「スキャンして保存」アプリケーションでは、たとえば、ＳＭＢは利用可能であるが、ＦＴＰは利用できない。利用可能と判断された場合にはＳ１１０６へと進み、利用不可と判断された場合にはＳ１１０７へと進む。
【００５３】
Ｓ１１０６で、アプリケーションは、マイフォルダ情報に対応する「マイフォルダ」を選択可能な状態にして表示するように、ＵＩ制御部２０１に指示する。Ｓ１１０７で、アプリケーションは、マイフォルダ情報に対応する「マイフォルダ」を選択不可な状態にして表示するように、ＵＩ制御部２０１に指示する。選択不可な状態とは、マイフォルダボタンを網掛けなどで表示しつつ、該ボタンへの操作を受け付けない状態にすることである。なお、マイフォルダボタンを利用不可能である旨を明示的にテキスト表示しても良い。
【００５４】
Ｓ１１０８で、アプリケーションは、「マイフォルダ」以外の保存先の候補の情報を取得して、ＵＩ制御部２０１に表示するように指示する。「マイフォルダ」以外の保存先の候補の情報とは、既に登録済みのファイル共有サーバ３０２の共有フォルダの情報のことである。
【００５５】
図８でＳ１１０６及びＳ１１０８の処理が実行されるケースでは、前述した図５（ｂ）に示すような表示画面がＵＩ制御部２０１によって提供される。このケースでは、「スキャンして保存」機能の保存先の選択肢として、マイフォルダ情報、及び、既に登録済みのファイル共有サーバ３０２の共有フォルダの情報に対応する複数のフォルダが表示されることになる。
【００５６】
また、図８でＳ１１０７及びＳ１１０８の処理が実行されるケースでは、図９に示すような表示画面がＵＩ制御部２０１によって提供される。図９は、図５（ｂ）でも示した画面とは、９０１の部分だけ異なる表示制御が行われている。前述したように、図９の画面では、ＦＴＰがマイフォルダ情報のプロトコルとして設定されているため、スキャンにより得られたデータを含むファイルの保存先として「マイフォルダ」が選択できなくなっている。つまり、このケースでは、「スキャンして保存」機能の保存先の選択肢として、既に登録済みのファイル共有サーバ３０２の共有フォルダの情報に対応する複数のフォルダのみが表示され、マイフォルダ情報に対応するフォルダは選択肢から外れることになる。
【００５７】
また、図８で、Ｓ１１０２でＮＯと判断されＳ１１０８の処理が実行されるケースでは、前述した図５（ｂ）に示すような表示画面のリスト５０７上に、「マイフォルダ」自体が表示されない画面が提供されることになる。これは、認証が行われないため、マイフォルダ情報の取得自体が試行されないためである。
【００５８】
なお、図８で、Ｓ１１０４でＮＯと判断されたケースであっても、Ｓ１１０７の処理をスキップして、Ｓ１１０８の処理が実行するようにしてもよい。
【００５９】
（他の実施例）
本発明は、上述した実施形態を適宜組み合わせることにより構成された装置あるいはシステムやその方法も含まれるものとする。
【００６０】
ここで、本発明は、上述した実施形態の機能を実現する１以上のソフトウェア（プログラム）を実行する主体となる装置あるいはシステムである。また、その装置あるいはシステムで実行される上述した実施形態を実現するための方法も本発明の一つである。また、そのプログラムは、ネットワーク又は各種記憶媒体を介してシステム或いは装置に供給され、そのシステム或いは装置の１以上のコンピュータ（ＣＰＵやＭＰＵ等）によりそのプログラムが読み出され、実行される。つまり、本発明の一つとして、さらにそのプログラム自体、あるいは該プログラムを格納したコンピュータにより読み取り可能な各種記憶媒体も含むものとする。また、上述した実施形態の機能を実現する回路（例えば、ＡＳＩＣ）によっても、本発明は実現可能である。
【符号の説明】
【００６１】
１０４  スキャナ部
１０５  操作部
１０６  ネットワークＩ／Ｆ
【図１】
2020120192.tif 000003
【図２】
2020120192.tif 000004
【図３】
2020120192.tif 000005
【図４】
2020120192.tif 000006
【図５】
2020120192.tif 000007
【図６】
2020120192.tif 000008
【図７】
2020120192.tif 000009
【図８】
2020120192.tif 000010
【図９】
2020120192.tif 000011
【図１０】
2020120192.tif 000012